(57)【要約】【課題】外部端末の処理能力に応じた符号化パラメータで符号化したデータを送出するコンテンツデータ再生・転送装置を提供する。【解決手段】外部端末３からのデータ取得要求に応じてコンテンツデータを送信するコンテンツデータ再生・転送装置１であって、第１の符号化パラメータで符号化された第１のコンテンツデータを記憶する記憶手段１４と、データ取得要求およびこれに付随する第２の符号化パラメータを受信する受信手段１１と、第１のコンテンツデータを再生する再生手段１５と、複数の符号化パラメータのいずれかで動作可能にされ、再生された第１のコンテンツデータを第１の符号化パラメータで復号した復号化コンテンツデータを第２の符号化パラメータで再符号化して第２のコンテンツデータを生成するコンテンツデータ再符号化手段１２と、再符号化コンテンツデータを送信する送信手段１３とを設けた。【選択図】        図１
2005012277.tif 000002
【特許請求の範囲】
【請求項１】
映像信号または音声信号もしくはその両方を第１の符号化パラメータで符号化して記録媒体に記録保持した第１のコンテンツデータを、再生して転送するコンテンツデータ再生・転送方法において、
記録媒体に記録保持された第１のコンテンツデータに対して、外部端末からデータ取得要求が来た時に、該データ取得要求に付随する第２の符号化パラメータを受け取り、
記録媒体に記録保持された第１のコンテンツデータを前記第１の符号化パラメータを用いて復号化し、第１の符号化パラメータで復号化したコンテンツデータを、前記第２の符号化パラメータで再度符号化して、第２のコンテンツデータを生成し、
第２のコンテンツデータを、前記データ取得要求を発した外部端末に向けて送信することを特徴とした、
コンテンツデータ再生・転送方法。
【請求項２】
映像信号または音声信号もしくはその両方を第１の符号化パラメータで符号化して記録媒体に記録保持した第１のコンテンツデータを、再生して転送するコンテンツデータ再生・転送方法において、
記録媒体に記録保持された第１のコンテンツデータに対して、外部端末からデータ取得要求が来た時に、該データ取得要求に付随する第２の符号化パラメータを受け取り、
記録媒体に記録保持された第１のコンテンツデータを前記第１の符号化パラメータを用いて復号化し、第１の符号化パラメータで復号化したコンテンツデータを、前記第２の符号化パラメータで再度符号化して、第２のコンテンツデータを生成し、
第２のコンテンツデータが、前記第２の符号化パラメータ内で指定されたフラグメント長だけ生成されるごとに、前記データ取得要求を発した外部端末に向けて順次送信するストリーミング型データ送信を行うことを特徴とした、
コンテンツデータ再生・転送方法。
【請求項３】
映像信号または音声信号もしくはその両方を第１の符号化パラメータで符号化して記録媒体に記録保持した第１のコンテンツデータを、再生して転送するコンテンツデータ再生・転送方法において、
記録媒体に記録保持された第１のコンテンツデータに対して、外部端末からデータ取得要求が来た時に、該データ取得要求に付随する第２の符号化パラメータおよび変速再生データ要求を受け取り、
記録媒体に記録保持された第１のコンテンツデータを、前記変速再生データ要求に基づいて変速再生して前記第１の符号化パラメータを用いて復号化し、第１の符号化パラメータで復号化した変速再生コンテンツデータを、通常速度として扱って前記第２の符号化パラメータで再度符号化して、第２のコンテンツデータを生成し、
第２のコンテンツデータを、前記データ取得要求を発した外部端末に向けて送信することを特徴とした、
コンテンツデータ再生・転送方法。
【請求項４】
映像信号または音声信号もしくはその両方を第１の符号化パラメータで符号化して記録媒体に記録保持した第１のコンテンツデータを、再生して転送するコンテンツデータ再生・転送方法において、
記録媒体に記録保持された第１のコンテンツデータに対して、外部端末からデータ取得要求が来た時に、該データ取得要求に付随する第２の符号化パラメータおよび変速再生データ要求を受け取り、
記録媒体に記録保持された第１のコンテンツデータを、前記変速再生データ要求に基づいて変速再生して前記第１の符号化パラメータを用いて復号化し、第１の符号化パラメータで復号化した変速再生コンテンツデータを、通常速度として扱って前記第２の符号化パラメータで再度符号化して、第２のコンテンツデータを生成し、
第２のコンテンツデータが、第２の符号化パラメータ内で指定されたフラグメント長だけ生成されるごとに、前記データ取得要求を発した機器に向けて順次送信するストリーミング型データ送信を行うことを特徴とした、
コンテンツデータ再生・転送方法。
【請求項５】
前記コンテンツデータが動画データである請求項１ないし請求項４のいずれか１項に記載のコンテンツデータ再生・転送方法。
【請求項６】
第１の符号化パラメータで符号化された第１のコンテンツデータを記憶する記憶手段と、
外部端末からのデータ取得要求およびこれに付随する第２の符号化パラメータを受信する受信手段と、
記憶手段から第１のコンテンツデータを再生する再生手段と、
複数の符号化パラメータのいずれかで動作可能にされ、再生された第１のコンテンツデータを第１の符号化パラメータで復号し、復号化コンテンツデータを外部端末から受信した第２の符号化パラメータで再符号化して第２のコンテンツデータを生成するコンテンツデータ再符号化手段と、
第２の符号化パラメータで再符号化された第２のコンテンツデータを外部端末へ送信する送信手段とを設け
コンテンツデータを記憶し、外部端末からのデータ取得要求に応じてコンテンツデータを送信することを特徴とする端末装置。
【請求項７】
前記受信手段が、第２の符号化パラメータ内で指定したフラグメント長を取得する機能を有し、
前記送信手段が、第２のコンテンツデータのフラグメント長を監視する機能と、第２のコンテンツデータが指定されたフラグメント長生成されるごとに、順次外部端末へ送信するストリーミング型データ送信機能を有することを特徴とする請求項６に記載の端末装置。
【請求項８】
前記受信手段が、データ取得要求に付随する第２の符号化パラメータおよび変速再生データ要求を受け取る機能を有し、
前記再生手段が、前記変速再生データ要求に基づいて第１のコンテンツを変速再生する機能を有し、
前記コンテンツデータ再符号化手段が、第１の符号化パラメータで復号化した変速再生コンテンツデータを、通常速度として扱って前記第２の符号化パラメータで再度符号化して、第２のコンテンツデータを生成する機能
を有することを特徴とする請求項６または請求項７に記載の端末装置。
【発明の詳細な説明】
【０００１】
【発明の属する技術分野】
本発明は、動画記録機能を備えた動画記録再生装置であって、当該動画記録再生装置内で再生したコンテンツデータを、外部の再生処理機能を備えた外部端末に向けて当該外部端末の符号化パラメータに対応したコンテンツデータとして送出することを可能とした、コンテンツデータ再生・転送方法およびコンテンツデータ再生・転送装置に関する。
【０００２】
【従来の技術】
動画データを符号化することにより圧縮したデータを記録したり他の端末装置へ伝送することが行われている。この符号化フォーマットは、それぞれの用途に適した各種のフォーマットが提案されており、異なるフォーマット間で画像データを円滑に伝送するには様々な障害がある。特に、モバイル端末では表示画面の大きさや処理能力、小電力の観点などから使用できる符号化フォーマットが制約されている。また、ストリーミング型動画データサービスなどの出現により、モバイル端末内にコンテンツデータを保持する必要が必ずしもない状況が出現している。
【０００３】
従来のモバイル端末（外部端末）に画像データを転送する動画再生・転送装置では、記録媒体は１種類、動画記録（再生）時の符号化パラメータ（符号化形式）セットは１種類であり、外部端末に向けて符号化データを送出する場合においても、同一の符号化パラメータ設定によって符号化されたデータを送出するものが殆どであった。この場合は、外部端末が、受信した符号化データを自己が対応できる符号化形式に変換することが必要となり、この変換処理に関係する負担が大きくなるという問題がある。
【０００４】
動画再生・転送装置を、別のデータ変換機器やデータ変換アダプタに接続して、外部端末の符号化形式に合わせた符号化データとして転送することを実現しているものもあるが、基本的にはデータの受け手がデータを都合の良い形に変換するものが一般的である。
【０００５】
更に、従来の動画再生・転送装置において、複数種の符号化フォーマットに対応できるものについても、送り手としての動画再生・転送装置側が送出できるデータ形式を、外部端末の側から問い合わせる形式であり、外部端末に処理の負担の多くを負わせるものであった（例えば、特許文献１参照）。
【０００６】
【特許文献１】
特開２００２−１５２３０７号公報（第１０頁、第１図）
【０００７】
【発明が解決しようとする課題】
従来の動画再生・転送装置においては、別の再生制約を持つ外部端末に対して、符号化データを送出する場合には、そのデータは、必ずしも、受け手の外部端末において再生可能なものとなるとは限らなかった。
【０００８】
特に、携帯通信端末などにおいては、データ量、映像表示画面サイズ、符号化方式などで、据え置き機器に比べて、大きな制約を受けている。
【０００９】
そこで、本発明が解決すべき課題は、コンテンツデータを記録再生する機器自体の符号化パラメータではなく、他の外部端末からのデータ取得要求に対して、適合する符号化パラメータに従って、コンテンツデータを適切に符号化データに生成して送出することが可能な動画再生・転送方法および動画再生・転送装置を提供することである。
【００１０】
【課題を解決するための手段】
上記課題を解決するため、本発明のコンテンツデータ再生・転送装置は、データ取得要求を出す外部端末が指定した第２の符号化パラメータを受信し、保持されているコンテンツデータを一旦第１の符号化パラメータで復号した復号化コンテンツデータを入力として、第２の符号化パラメータに従って再符号化した再符号化コンテンツデータを、データ取得要求を出した外部端末に向けて、順次送出する。
【００１１】
【発明の実施の形態】
以下、図を参照しながら、本発明の動画再生・転送装置の実施の形態について詳しく説明する。
【００１２】
図２を用いて、本発明にかかるコンテンツデータ再生・転送装置１と携帯通信端末（外部端末）３とからなるコンテンツデータ再生・転送システムの機器の関係を説明する。このコンテンツデータ再生・転送システムは、例えば住宅内に置かれたコンテンツデータ再生・転送装置１と外部の携帯通信端末３とを、基地局５１、ネットワークサーバ５２、携帯通信機器用データサーバ５３からなるネットワーク５を介して接続して構成される。
【００１３】
通常、携帯通信端末３向けには、専用の携帯通信機器用データサーバ５３により、携帯通信端末３に適合するコンテンツデータの供給が行われる。しかし、インターネット等で、ネットワーク家電であるコンテンツデータ再生・転送装置１などとつながり、コンテンツデータ再生・転送装置１内に保存されているコンテンツデータを受信再生する場合などは、そのままデータを持ってきた場合、携帯通信端末３では扱えない形式のデータがやってくる場合が少なくない。また、携帯通信端末３は、その製品の性格上、将来的にも制約が取れる可能性は低い。
【００１４】
そこで、本発明では、携帯通信端末３から送られる自端末内で扱える形式の記録パラメータ（第２の符号化パラメータ）値をコンテンツデータ再生・転送装置１が受け取って、指定された記録パラメータ（第２の符号化パラメータ）に従ってコンテンツを再符号化し、新たにできた再符号化コンテンツデータを送出する。この際、携帯通信端末３から指定された第２の符号化パラメータは、コンテンツデータ再生・転送装置１内に保持するデータ用の記録パラメータ（第１の符号化パラメータ）とは別として、データ送出専用の記録パラメータとして扱う。
【００１５】
これにより、コンテンツデータ再生・転送装置１内の無用なデータ容量の増大を防ぐことができ、外部の携帯通信端末３には、コンテンツデータ再生・転送装置１内のコンテンツのプレビューワとしての機能を与えることができる。
【００１６】
図１のブロック図を用いて、本発明にかかるコンテンツデータ再生・転送装置１の構成の概要を説明する。コンテンツデータ再生・転送装置１は、通常の動画記録再生装置が有する手段の他に、受信手段１１と、コンテンツデータ再符号化手段１２と、送信手段１３と、記憶手段１４と、再生手段１５とを有して構成される。
【００１７】
受信手段１１は、外部端末３からのデータ取得要求を受信する手段であり、データ取得要求に付随するコンテンツデータを再符号化する時のパラメータ（第２の符号化パラメータ）や変速再生データ要求やフラグメント長などのデータを取得する第２の符号化パラメータ受信部１１１を有している。
【００１８】
コンテンツデータ再符号化手段１２は、外部端末３が指定したコンテンツデータを記録手段１４から検索して再生したコンテンツデータ再生・転送装置用の記録パラメータ（第１の符号化パラメータ）で符号化された第１のコンテンツデータから音声データと動画データを分離するＡＶ分離部１２１と、音声データをコンテンツデータ再生・転送装置用の記録パラメータ（第１の符号化パラメータ）を用いて復号化する音声データ復号化部１２２と、動画データをコンテンツデータ再生・転送装置用の記録パラメータを用いて復号化する動画データ復号化部１２３と、復号化された音声データを外部端末３から指定された記録パラメータ（第２の符号化パラメータ）で再度符号化する音声データ再符号化部１２４と、復号化された動画データを外部端末３から指定された第２の符号化パラメータで再度符号化する動画データ再符号化部１２５と、再符号化された音声データおよび動画データを多重化して第２のコンテンツデータとして出力するＡＶ多重部１２６を有して構成される。
【００１９】
すなわち、コンテンツデータ再符号化手段１２は、記憶手段１４から再生した第１の符号化パラメータで符号化された第１のコンテンツデータを一旦復号化し、外部端末３が指定した第２の符号化パラメータによって再度符号化して第２のコンテンツデータとして出力する働きを有している。
【００２０】
コンテンツデータ再符号化手段１２は、複数の符号化パラメータのいずれかで動作可能にされ、再生手段１５で再生された第１のコンテンツデータを第１の符号化パラメータで復号化し、復号化コンテンツデータを外部端末３から受信した第２の符号化パラメータで再符号化して第２のコンテンツデータを生成するとともに、再生手段１５が、変速再生した変速再生コンテンツデータを、通常速度として扱って前記第２の符号化パラメータで再度符号化して、第２のコンテンツデータを生成する機能を有している。
【００２１】
送信手段１３は、第２のコンテンツデータを外部端末３へ送出する手段であり、フラグメント監視部１３１を有し、データ取得要求に付随する第２の符号化パラメータから取得したフラグメント長に基づいて第２のコンテンツデータのフラグメントを監視し、所定のフラグメント長ごとに第２のコンテンツデータを外部端末３へ向けて順次送出するストリーミング型データ送信する働きを有している。
【００２２】
記憶手段１４は、第１の符号化パラメータで符号化された第１のコンテンツデータを記憶する手段である。
【００２３】
再生手段１５は、外部端末３からのデータ取得要求で指定された再生指定データ基づいて記憶手段１４内のコンテンツデータを検索し再生する手段であり、外部端末３が指定した第２の符号化パラメータに基づいて、指定されたコンテンツデータを指定された再生速度で変速再生する手段である。
【００２４】
上記構成を有するコンテンツデータ再生・転送装置１におけるデータ取得要求時の処理を、図３のフローチャートを用いて説明する。受信手段１１が外部端末３から再生するコンテンツデータを指定したデータ取得要求を受信する（Ｓ１００）とともに、これに付随する第２の符号化パラメータを第２の符号化パラメータ受信部１１１が取得する（Ｓ１０１）。第２の符号化パラメータによって、コンテンツ記録・再生時の符号化フォーマット、ビットレート、フレームレート等のデータを取得する。取得した第２の符号化パラメータをコンテンツデータ転送処理用に設定する（Ｓ１０２）。
【００２５】
続いて、コンテンツデータ再生動作開始とコンテンツデータ転送動作（コンテンツデータ再符号化動作）開始の処理を行い（Ｓ１０３）、上記データ取得要求で指定されたコンテンツデータを再生する動作が開始され、再生された再生コンテンツデータを第１の符号化パラメータで復号化し、復号化コンテンツデータを第２の符号化パラメータを用いてコンテンツデータ再符号化する処理を行う（Ｓ１０４）。
【００２６】
第２の符号化パラメータで再符号化された再符号化コンテンツデータを、第２の符号化パラメータによって予め指定されたデータ符号化単位ごとに、コンテンツデータ転送動作が行われ、外部端末３へ向けて、データ符号化単位分の再符号化コンテンツデータを送出する（Ｓ１０５）。
【００２７】
続いて、データ送出の終了指示が入っているかどうかを終了指示判断で判別し（Ｓ１０６）、終了指示が入っていない場合は、続きのコンテンツデータ転送動作に入るべく、処理段階Ｓ１０４のコンテンツデータ転送動作の処理段階に進む。また、処理段階Ｓ１０６の終了指示判断において、終了指示が入っていることが判明した場合には、処理終了に進み、データ送出処理を終了する（Ｓ１０７）。
【００２８】
このようにして、外部端末３からのデータ取得要求に従って、指定してきた第２の符号化パラメータにもとづいて外部端末３の再生機能に適合した形式に符号化された再符号化コンテンツデータが送出され、外部端末３側で再符号化コンテンツデータの復号（再生）処理を行うことが、可能となる。
【００２９】
ここで、符号化パラメータの構成例を、図４に示す。図４（ａ）は、第１または第２の符号化パラメータの一例であり、第１または第２の符号化パラメータセットＴ１００を構成する内部の各要素を示している。
【００３０】
第１または第２の符号化パラメータセットＴ１００は、ＡＶ多重のフォーマットであるファイルフォーマットＴ０１、データ送出の基本単位となるフラグメントの長さを示すフラグメント間隔Ｔ０２、音声（Ａｕｄｉｏ）データと動画（Ｖｉｄｅｏ）データを組み合わせる基本単位であるＡＶインターリーブ間隔Ｔ０３、Ｖｉｄｅｏ符号化フォーマットＴ０４、符号化対象となる画像のサイズである画像サイズＴ０５、映像の更新頻度であるフレームレートＴ０６、Ｖｉｄｅｏエレメンタリーストリームの符号化ビットレートであるＶｉｄｅｏビットレートＴ０７、フレーム内符号化が行われる映像フレームの間隔を示すＩｎｔｒａフレーム間隔Ｔ０８、Ａｕｄｉｏ符号化フォーマットＴ０９、Ａｕｄｉｏのサンプリング周波数Ｔ１０、モノラル／ステレオなどの指定であるチャネルモードＴ１１、Ａｕｄｉｏエレメンタリーストリームの符号化ビットレートであるＡｕｄｉｏビットレートＴ１２で構成されている。
【００３１】
これに対して、外部端末３すなわち携帯通信端末からのデータ要求時の第２の符号化パラメータ設定の具体的な一例としては、図４（ｂ）に示したような第２の符号化パラメータセットＴ１１０がある。
【００３２】
すなわち、外部端末３側の第２の符号化パラメータＴ１１０は、ファイルフォーマットＴ０１はＭＰ４ファイルフォーマット、フラグメント間隔Ｔ０２は５秒、ＡＶインターリーブ間隔Ｔ０３は１秒、Ｖｉｄｅｏ符号化フォーマットＴ０４はＭＰＥＧ−４  Ｖｉｓｕａｌ  ＳｉｍｐｌｅＰｒｏｆｉｌｅ  ＠  ＬＥＶＥＬ１、画像サイズＴ０５は横１７６×縦１４４、フレームレートＴ０６は１５ｆｐｓ、ＶｉｄｅｏビットレートＴ０７は６４ｋｂｐｓ、Ｉｎｔｒａフレーム間隔Ｔ０８は１秒、Ａｕｄｉｏ符号化フォーマットＴ０９はＭＰＥＧ−４  ＡＡＣ  ＬＣ  Ｐｒｏｆｉｌｅ、Ａｕｄｉｏのサンプリング周波数Ｔ１０は２２．０５ｋＨｚ、モノラル／ステレオなどの指定であるチャネルモードＴ１１はステレオ、ＡｕｄｉｏビットレートＴ１２は６４ｋｂｐｓに設定されている。
【００３３】
このような形で、携帯通信端末３側には、再生可能なコンテンツに対する制約があり、これに従ったコンテンツが届かない限り、携帯通信端末３側で取得したコンテンツを再生することは不可能となる。
【００３４】
更に、送り手としてのコンテンツデータ再生・転送装置１側の第１の符号化パラメータ設定の具体的な一例と、データ変換先である携帯通信端末３からのデータ要求時の第２の符号化パラメータ設定の具体的な一例との対比を示したのが図５であり、コンテンツデータ再生・転送装置１側（元データ側）の第１の符号化パラメータＴ１２０の設定例が図５（ａ）、携帯通信端末３側第２の第２の符号化パラメータＴ１３０の設定例が図５（ｂ）である。この例では、携帯通信端末３側の第２の符号化パラメータＴ１３０は、図４（ｂ）に示した第２の符号化パラメータセットＴ１１０の例と同じである。
【００３５】
コンテンツデータ再生・転送装置１側の第１の符号化パラメータＴ１２０（図５（ａ））は、通常ＮＴＳＣ映像データを入力としたＳＤＴＶ放送レベルの映像の符号化を想定したもので、ファイルフォーマットＴ０１はＭＰＥＧ−２ＴＳ、フラグメント間隔Ｔ０２は無し、ＡＶインターリーブ間隔Ｔ０３は可変、Ｖｉｄｅｏ符号化フォーマットＴ０４はＭＰＥＧ−２  ＭａｉｎＰｒｏｆｉｌｅ  ＠  Ｍａｉｎ  Ｌｅｖｅｌ、画像サイズＴ０５は横６４０×縦４８０、フレームレートＴ０６は２９．９７ｆｐｓ、ＶｉｄｅｏビットレートＴ０７は１１Ｍｂｐｓ、Ｉｎｔｒａフレーム間隔Ｔ０８は０．５秒、Ａｕｄｉｏ符号化フォーマットＴ０９はＭＰＥＧ−１  Ａｕｄｉｏ  Ｌａｙｅｒ２、Ａｕｄｉｏのサンプリング周波数Ｔ１０は４４．１ｋＨｚ、チャネルモードＴ１１はステレオ、ＡｕｄｉｏビットレートＴ１２は３８４ｋｂｐｓに設定されている。
【００３６】
このような形で、コンテンツデータ再生・転送装置１内で記録・保持されているコンテンツデータを、外部の携帯通信端末３から要求し、視聴したいとする場合、データ変換が必要であり、外部の携帯通信端末３というのが常に同一であるわけではないので、図５（ｂ）に示されたような第２の符号化パラメータＴ１３０が送られて来るのに合わせて、それに従ったデータに構成しなおして、送出する処理は有効となる。
【００３７】
データ送出の単位については、外部の携帯通信端末から送られた上記フラグメント間隔Ｔ０２の値に従って、設定する例も考えられる。
【００３８】
図６は、その場合の処理フローの一例を示したものである。外部端末３からのデータ取得要求の到達により、データ取得要求受信処理（Ｓ１００）が行われ、続いて第２の符号化パラメータの取得処理（Ｓ１０１）によって、動画記録時の符号化フォーマット、ビットレート、フレームレート等のデータが入った、第２の符号化パラメータが取得される。
【００３９】
第２の符号化パラメータ設定処理（Ｓ１０２）において、第２の符号化パラメータをコンテンツデータ転送処理用に設定する。
【００４０】
続いて、コンテンツデータ再生動作開始・コンテンツデータ転送作開始処理（Ｓ１０３）により、上記データ取得要求で要求されたコンテンツデータを再生するコンテンツデータ再生動作が開始され、また、コンテンツデータ再生動作の結果である再生コンテンツデータを第１の復号化パラメータを用いて復号化し、復号化コンテンツデータを、第２の符号化パラメータで再符号化して、外部端末３へ送出するコンテンツデータ転送動作が開始される。
【００４１】
フラグメント単位ごとに、第２の符号化パラメータの設定によるコンテンツデータ転送動作処理（Ｓ１０４）が行われ、フラグメント単位分の再符号化データが生成されたかどうかを判断し（Ｓ１０８）、上記フラグメント単位分の再符号化データが生成されている場合は、上記フラグメント単位分の再符号化データ送出が、生成されたコンテンツデータの送出処理（Ｓ１０９）において行われる。
【００４２】
また、上記フラグメント単位分の再符号化データが生成されていない場合は、そのまま次の処理に移る。
【００４３】
処理段階Ｓ１０８、或いは処理段階Ｓ１０９に続いて、データ送出の終了指示が入っているかどうかを終了指示判断処理で判別し（Ｓ１１０）、終了指示が入っていない場合は、続きのコンテンツデータ転送動作に入るべく、処理段階Ｓ１０４のコンテンツデータ転送処理に進む。また、終了指示判断処理段階Ｓ１０６において、終了指示が入っていることが判明した場合には、処理終了Ｓ１１１に進み、コンテンツデータ転送処理を終了する。
【００４４】
このようにして、外部端末３からのデータ要求に従って、外部端末３が指定してきた第２の符号化パラメータを元に、外部端末３の再生機能に適合した再符号化コンテンツデータが指定されたフラグメント単位ごとに送出され、外部端末３側で再符号化コンテンツデータを円滑に復号化（再生）することが、可能となる。
【００４５】
ここで、これまで説明してきた、処理の流れを、コンテンツデータ再生・転送装置１の側の処理と、外部の携帯通信端末３側の処理との対比の流れで表現した例を、図７を用いて説明する。
【００４６】
外部の携帯通信端末３側から、データ取得要求（コンテンツ要求）をコンテンツデータ再生・転送装置１へ送信する（Ｓ２００）とともに、第２の符号化パラメータをコンテンツデータ再生・転送装置１側に送信する（Ｓ２０１）。
【００４７】
コンテンツデータ再生・転送装置１側では、データ取得要求を受信し（Ｓ２０２）、さらに第２の符号化パラメータを受信する（Ｓ２０３）。続いて、データ取得要求で指定されたコンテンツを記憶手段１４から検索する（Ｓ２０４）。
【００４８】
指定されたコンテンツを探し当てた後、指定されたコンテンツの再生を開始し（Ｓ２０５）、再生コンテンツを第１の符号化パラメータで復号化し、復号化コンテンツデータを第２の符号化パラメータに従い再符号化する再符号化処理を開始する（Ｓ２０６）。送信単位分の再符号化コンテンツデータを生成し（Ｓ２０７）、送信単位分の再符号化コンテンツデータを外部の携帯通信端末３へ向けて送信する（Ｓ２０８）。外部の携帯通信端末３側では、再符号化コンテンツデータを受信し（Ｓ２０９）、記送信単位分の再符号化コンテンツデータを取得し、復号（再生）可能な状態とする。
【００４９】
コンテンツデータ再生・転送装置１側における処理段階Ｓ２０７、Ｓ２０８、携帯通信端末３側における処理段階Ｓ２０９の繰り返し処理により、継続的に携帯通信端末３側における再符号化コンテンツデータの取得と再符号化コンテンツデータの復号（再生）が行われる。
【００５０】
指定されたコンテンツの再符号化コンテンツ転送が終了した場合は、コンテンツデータ再生・転送装置１側で指定コンテンツのデータ送信処理を終了し（Ｓ２１０）、符号化データ送信完了の通知が携帯通信端末３側に送られ（Ｓ２１１）、符号化データ送信完了通知を受信した携帯通信端末３側は、コンテンツデータ受信完了処理を実行して、データ取得・復号（再生）の一連の処理を終了する（Ｓ２１２）。
【００５１】
このような、コンテンツデータ再生・転送装置１側の処理と、外部の携帯通信端末３側の処理によって、外部の携帯通信端末での動画コンテンツ再生が可能となり、コンテンツデータ再生・転送装置１側では、ありとあらゆる符号化フォーマットの同一ソースコンテンツを複数用意しておく必要も無く、データ要求をしてきた携帯通信端末３の処理性能に応じたコンテンツの送出を行うことができ、携帯通信端末３側では、コンテンツデータ再生・転送装置１のプレビューワとしての機能が満たされる。
【００５２】
図８は、図７の例において、再符号化コンテンツデータの送信単位をフラグメント単位とした例で、送信単位分の再符号化コンテンツデータを生成する処理段階Ｓ２０７に代えて指定されたフラグメント単位分の再符号化データを生成する処理（Ｓ２１３）、送信単位分の再符号化データの送信処理段階Ｓ２０８に代えて指定されたフラグメント単位分の再符号化データを送信する処理（Ｓ２１４）、コンテンツデータ受信処理段階Ｓ２０９に代えて指定されたフラグメント単位分の部分コンテンツデータの受信処理（Ｓ２１５）を設けた処理フローである。
【００５３】
このような、コンテンツデータ再生・転送装置１の側の処理と、外部の携帯通信端末３側の処理によって、外部の携帯通信端末３での動画コンテンツのフラグメント単位ごとの送信によるストリーミング再生が可能となり、携帯通信端末３側では、コンテンツデータ再生・転送装置１のプレビューワとしての機能が満たされる。
【００５４】
図６の例に対して、データ送出時に、コンテンツデータ要求を出した外部の携帯通信端末３から、再生モード変更の指示が入った場合の、コンテンツデータ再生・転送装置１の処理フローについて示したのが、図９の例である。
【００５５】
外部端末３からのデータ取得要求の到達により、データ取得要求受信処理が行われ（図６、Ｓ１００）、続いて、第２の符号化パラメータを受信して、コンテンツデータ記録時の符号化フォーマット、ビットレート、フレームレート等のデータを取得する（図６、Ｓ１０１）。第２の符号化パラメータ設定処理において、第２の符号化パラメータをコンテンツデータ転送処理用に設定する（図６、Ｓ１０２）。
【００５６】
続いて、コンテンツデータ再生動作開始・コンテンツデータ転送動作開始処理Ｓ１０３により、上記データ取得要求で要求されたコンテンツデータのコンテンツデータ再生動作が開始され、また、コンテンツデータ再生動作によって再生された再生コンテンツデータを第１の符号化パラメータで復号化して復号化コンテンツデータを得て、この復号化コンテンツデータを第２の符号化パラメータで再符号化して再符号化コンテンツデータとし、この再符号化コンテンツデータを第２の符号化パラメータ設定に従って送出するコンテンツデータ転送動作が開始される。
【００５７】
フラグメント単位ごとに、第２の符号化パラメータの設定によるコンテンツデータ転送処理Ｓ１０４が行われ、フラグメント単位分の再符号化コンテンツデータが生成されたかどうかを処理段階Ｓ１０８で判断し、フラグメント単位分の再符号化コンテンツデータが生成されている場合は、フラグメント単位分の再符号化コンテンツデータの送出が、再符号化コンテンツデータの送出処理Ｓ１０９において行われる。
【００５８】
また、上記フラグメント単位分の再符号化データが生成されていない場合は、そのまま次の処理に移る。
【００５９】
処理段階Ｓ１０８、或いは処理段階Ｓ１０９に続いて、再生モード変更指示が外部端末３より入っているかどうかの判断Ｓ２１６で判別し、再生モード変更指示が入っていない場合は、続きの処理段階Ｓ１１０にそのまま進む。また、再生モード変更指示判断Ｓ２１６において、再生モード変更指示が入っていることが判明した場合には、コンテンツデータ再生モード変更Ｓ２１７が行われ、新たな再生モードによってコンテンツデータ再生処理が行われる。
【００６０】
処理段階Ｓ２１６、或いは処理段階Ｓ２１７に続いて、データ送出の終了指示が入っているかどうかを終了指示判断Ｓ１１０で判別し、終了指示が入っていない場合は、続きのコンテンツデータ転送動作に入るべく、コンテンツデータ転送動作Ｓ１０４の処理段階に進む。また、終了指示判断Ｓ１０６において、終了指示が入っていることが判明した場合には、処理終了Ｓ１１１に進み、データ送出処理を終了する。
【００６１】
図１０を用いて、再生モードとして２倍速（早送り）再生が指示された場合の、動画コンテンツデータを再構成する仕組みを説明する。
【００６２】
元々、コンテンツデータ再生・転送装置１の側に保存されていた動画コンテンツデータＴ１４０を、間引きながら復号化（デコード）した復号化コンテンツデータＴ１５０を得て、更に復号化コンテンツデータＴ１５０を入力として、データ要求をした外部の携帯通信端末３から指定された第２の符号化パラメータに従って、再度符号化しなおした再符号化コンテンツデータＴ１６０ととすることによって、再構成される。
【００６３】
動画コンテンツデータＴ１４０は、２倍速（早送り）扱いで再生され、デコード結果の一つ飛ばしが再符号化の対象となる復号化コンテンツデータＴ１５０となる。復号化コンテンツデータＴ１５０の例では、デコード結果の奇数フレーム目が再符号化の対象となる復号化コンテンツデータＴ１５０となっている。これに対して、再符号化は、通常速度扱いとして、復号化コンテンツデータＴ１５０を再符号化し、再符号化コンテンツデータＴ１６０を生成する。
【００６４】
このような形で、コンテンツデータ再生・転送装置１内で記録・保持されているコンテンツデータを、外部の携帯通信端末３から要求に従って送出でき、更に２倍速（早送り）再生などの変速再生に対しても、通常ストリーミング再生の仕掛けで、外部の携帯通信端末３に向けてデータ送信することができ、外部の携帯通信端末３側に、再生処理の仕掛けの余計なバリエーションを持たせる必要もない。
【００６５】
ここで、これまで説明してきた、再生モード変更（変速再生：２倍速再生）の指示が入ってきた場合の処理の流れを、コンテンツデータ再生・転送装置１の側の処理と、外部の携帯通信端末３側の処理との対比の流れで表現した例を、図１１に示す。
【００６６】
外部の携帯通信端末３側から、コンテンツ要求に従い、指定されたフラグメント単位分の再符号化コンテンツデータを生成し（Ｓ２１３）、指定されたフラグメント単位分の再符号化コンテンツデータを送信する（Ｓ２１４）。外部の携帯通信端末３側では、指定されたフラグメント単位分の部分再符号化コンテンツデータを受信する（Ｓ２１５）により、上記送信単位分の再符号化コンテンツデータを取得し、再生する。
【００６７】
ここで、外部の携帯通信端末３側から、再生モードの変更を要求する再生モード変更要求（Ｓ２１８）および指定再生モード（Ｓ２１９）が、コンテンツデータ再生・転送装置１側に送られ、コンテンツデータ再生・転送装置１で再生モード変更要求受信処理（Ｓ２２０）、指定再生モード受信処理（Ｓ２２１）を行い、続いて、上記の指定再生モードに従って、変速再生を開始する（Ｓ２２２）。
【００６８】
以降、再生処理は指定された再生モードに従った動きをしながら、指定されたフラグメント単位分の再符号化コンテンツデータの生成（Ｓ２１３）を行い、指定されたフラグメント単位分の再符号化コンテンツデータ送信（Ｓ２１４）を行う。外部の携帯通信端末３側では、指定されたフラグメント単位分の部分コンテンツデータ受信（Ｓ２１５）により、上記送信単位分の再符号化コンテンツデータを取得し、再生する。
【００６９】
このようにして、変速再生（２倍速再生）指定が、外部端末３から受信された場合でも、それに従った、動画コンテンツの再構成・送出が可能となる。また、受けての外部端末３側としては、通常のストリーミング再生の機能があるだけで、再生時のコンテンツの見え方としては、変速再生にも対応することになる。
【００７０】
図１２を用いて、再生モードとして１／２倍速（スロー）再生が指示された場合のコンテンツデータの再構成の仕組みを説明する。
【００７１】
元々、コンテンツデータ再生・転送装置１の側に保存されていた符号化コンテンツデータＴ１４０を、１／２倍速再生し、それを復号化して１／２倍速再生復号化コンテンツデータＴ１７０を得て、１／２倍速再生復号化コンテンツデータを更にデータ要求をした外部の携帯通信端末３から指定された第２の符号化パラメータに従って、再度符号化しなおして再符号化コンテンツデータＴ１８０を得る。
【００７２】
符号化コンテンツデータＴ１４０は、１／２倍速（スロー）扱いでデコード再生され、デコード結果の再符号化の対象となる１／２倍速再生復号化コンテンツデータＴ１７０が生成される。１／２倍速再生復号化コンテンツデータＴ１７０の例では、１／２倍速（スロー）のデコード結果が再符号化の対象となるデコード後復号化コンテンツデータとなっている。これに対して、再符号化処理は、通常速度扱いとして、１／２倍速再生復号化コンテンツデータＴ１７０を第２の符号化パラメータで再符号化し、再符号化コンテンツデータＴ１８０を生成している。
【００７３】
このような形で、コンテンツデータ再生・転送装置１内で記録・保持されている動画コンテンツを、外部の携帯通信端末３から要求に従って送出でき、更に１／２倍速（スロー）再生などの変速再生に対しても、通常ストリーミング再生の仕掛けで、外部の携帯通信端末３に向けてデータ送信することができ、外部の携帯通信端末３側に、再生処理の仕掛けの余計なバリエーションを持たせる必要もない。
【００７４】
以上の説明では、コンテンツデータ再生・転送装置に記憶されるコンテンツデータについて、一般的な説明をしてきたが、コンテンツデータとして画像データおよび音声データからなる動画データを対象とするときには、本発明は、極めて有効である。
【００７５】
【発明の効果】
本発明により，他の外部端末からのデータ要求に対して、適合する符号化形式を判断・選択し、適切に符号化データ送出することが可能な、コンテンツデータ再生・転送装置を提供することができる。
【００７６】
これにより、外部端末に、当該コンテンツデータ再生・転送装置のプレビューワ機能を与えることができる。
【図面の簡単な説明】
【図１】本発明にかかるコンテンツデータ再生・転送装置の構成の概要を説明するブロック図。
【図２】本発明にかかる、コンテンツデータ再生・転送システムを構成する機器の関係を説明する図。
【図３】本発明のコンテンツデータ再生・転送装置内の処理フローの一例。
【図４】本発明における、外部端末から指定される、第２の符号化パラメータの一例。
【図５】本発明における、コンテンツデータ再生・転送装置内で元々使われる第１の符号化パラメータと外部端末３から指定される第２の符号化パラメータの対比の一例。
【図６】本発明のコンテンツデータ再生・転送装置内の処理フローの別の一例。
【図７】本発明における、コンテンツデータ再生・転送装置と外部携帯通信端末とのデータのやり取りの一例。
【図８】本発明における、コンテンツデータ再生・転送装置と外部携帯通信端末とのデータのやり取りの別の一例。
【図９】本発明のコンテンツデータ再生・転送装置１内の処理フローの一例。
【図１０】本発明における、倍速再生指定時の、動画コンテンツデータの再構成の様子の一例。
【図１１】本発明における、コンテンツデータ再生・転送装置と外部携帯通信端末とのデータのやり取りの別の一例。
【図１２】本発明における、スロー再生指定時の、動画コンテンツデータの再構成の様子の一例。
【符号の説明】
１  コンテンツデータ再生・転送装置
１１  受信手段
１１１  第２の符号化パラメータ受信部
１２  コンテンツデータ再符号化手段
１２１  ＡＶ分離部
１２２  音声データ復号化部
１２３  動画データ復号化部
１２４  音声データ再符号化部
１２５  動画データ再符号化部
１２６  ＡＶ多重部
１３  送信手段
１３１  フラグメント監視部
１４  記憶手段
１５  再生手段（変速再生）
３  携帯通信端末（外部端末）
５  通信ネットワーク
５１  基地局
５２  ネットワークサーバ
５３  データサーバ
【図１】
2005012277.tif 000003
【図２】
2005012277.tif 000004
【図３】
2005012277.tif 000005
【図４】
2005012277.tif 000006
【図５】
2005012277.tif 000007
【図６】
2005012277.tif 000008
【図７】
2005012277.tif 000009
【図８】
2005012277.tif 000010
【図９】
2005012277.tif 000011
【図１０】
2005012277.tif 000012
【図１１】
2005012277.tif 000013
【図１２】
2005012277.tif 000014